(57)【特許請求の範囲】
【請求項１】
略水平方向に回転軸を有する回転ドラムと、この回転ドラムを外包した外槽と、この外槽の底部内側に配した加熱体と、前記外槽の底部外側で前記加熱体の対応位置に配したスライド板とを備え、前記スライド板には温度検知装置および温度過昇防止装置の少なくとも一方を取付け、前記外槽の底部外側には、前記スライド板を着脱自在に摺動案内するレール状案内部を設けたドラム式洗濯機。
【請求項２】
レール状案内部は、相対向する断面略コ字状をなし、その下部内面とスライド板のスライド部の少なくとも一方には、その奥行き方向に向かうに従って高さが高くなる凸部を形成し、他方は前記凸部に合致する高さに設定した請求項１記載のドラム式洗濯機。
【請求項３】
凸部が、高さが異なる複数の突起よりなる請求項２記載のドラム式洗濯機。
【請求項４】
凸部が、傾斜面よりなる請求項２記載のドラム式洗濯機。
【発明の詳細な説明】
【０００１】
【発明の属する技術分野】
本発明は、略水平方向の回転軸を中心に回転自在に配設したドラム内で洗濯物を洗濯、すすぎ、脱水するドラム式洗濯機に関するものである。
【０００２】
【従来の技術】
従来、この種のドラム式洗濯機は図６および図７に示すように構成していた。以下、その構成について説明する。
【０００３】
図６に示すように、回転ドラム１は、外周部に多数の通水孔２を全面に設け、外槽３内に回転自在に配設している。回転ドラム１の回転中心に回転軸４の一端を略水平方向に固定し、回転軸４の他端に従動プーリー５を固定している。第１のモータ６は、回転ドラム１を第１の回転数Ｎ１（たとえば、５３ｒｐｍ）で回転させて、洗濯またはすすぎをするものであり、第２のモータ７は、回転ドラム１を第２の回転数Ｎ２（たとえば、１０００ｒｐｍ）で回転させて脱水する。
【０００４】
これら第１のモータ６および第２のモータ７は、それぞれベルト８、９を介して従動プーリー５に連結している。従動プーリー５は、２種の減速比を有しており、第１のモータ６をベルト８を介して減速比が大きい従動プーリー５ａと連結し、第２のモータ７をベルト９を介して減速比が小さい従動プーリー５ｂと連結している。
【０００５】
外槽３は、略円筒型の外槽本体３ａと外槽本体３ａの開口部を覆う外槽前板３ｂとで構成し、ボデー１０よりばね体１１で揺動可能に吊り下げ、防振ダンパー１２により脱水起動時の振動が低減され、かつ定常脱水時の振動がボデー１０に伝達されないように防振支持するとともに、脱水時の振動を低減する重り１３を設けている。この外槽３の底部側にヒータ１４を設けて外槽３内の洗濯水を加熱し、さらに排水用のホース１５の一端を接続し、ホース１５の他端を排水ポンプ１６に接続して外槽３内の洗濯水を排水するようにしている。上記ヒータ１４の下方近傍には、図７に示すように、温度検知装置１７を、外槽本体３ａ底部に設けた温度検知装置挿入穴１８に挿通可能な温度検知装置取付パッキング１９を介して設け、温度検知装置１７を挿入することにより温度検知装置取付パッキング１９を外側に膨出させ、温度検知装置１７を外槽本体３ａの底部に固定している。
【０００６】
略筒状のパッキング部材２０は、回転ドラム１の前面開口部に対応する外槽３の開口部とボデー前面開口部との間を連結するもので、外槽側端部を外槽前板３ｂに固着している。ボデー前面開口部に蓋２１を開閉自在に設けている。給水弁２２は外槽３内に水を給水するものである。制御装置２３は、第１のモータ６、第２のモータ７、ヒータ１４、排水ポンプ１６、給水弁２２などの動作を制御し、洗濯、すすぎ、脱水などの一連の行程を逐次制御する。
【０００７】
上記構成において動作を説明すると、蓋２１を開いて回転ドラム１内に洗濯物を投入し、電源スイッチ（図示せず）をオンした後、制御装置２３に設けたスタートスイッチ（図示せず）を操作して運転を開始すると、給水弁２２が動作して給水し、水位検知手段（図示せず）により所定の水位を検知すると給水を停止し、第１のモータ６を駆動する。洗濯行程では、洗濯物に水が含まれるため補給水しながら、回転ドラム１は第１のモータ６によって第１の回転数Ｎ１で回転駆動され、回転ドラム１内の洗濯物は持ち上げられて水面上に落下される。
【０００８】
このとき、ヒータ１４に通電して、温度検知装置１７により温度を検知し、外槽３内の洗濯水をほぼ一定の温度に制御しながら、加熱する。洗濯行程が終了すると、排水ポンプ１６が動作して外槽３内の洗濯水を排水する。すすぎ行程においても洗濯行程と同様の動作を行う。
【０００９】
脱水行程では、回転ドラム１は第２のモータ７によって第２の回転数Ｎ２で回転駆動され、洗濯物は遠心脱水される。このとき、回転ドラム１内の洗濯物の片寄り、すなわちアンバランスが生じると、回転ドラム１、外槽３などの揺動体は振動するが、脱水起動時は防振ダンパー１２により揺動体の振動を減衰し、定常脱水時は防振ダンパー１２の防振機構によりボデー１０に伝達されることはない。
【００１０】
【発明が解決しようとする課題】
このような従来の構成では、温度検知装置１７は、温度検知装置挿入穴１８に挿通可能な温度検知装置取付パッキング１９を介して設け、温度検知装置１７を挿入することにより温度検知装置取付パッキング１９を外側に膨出させ、温度検知装置１７を外槽本体３ａの底部に固定しているため、温度検知装置１７、温度検知装置取付パッキング１９および温度検知装置挿入穴１８のそれぞれの嵌合が甘い場合は温度検知装置１７が外れやすく、仮に外れた場合は水漏れが発生していた。また、嵌合が固い場合は組み立て時およびサービス時の作業性が悪く、温度検知装置１７の不完全挿入の可能性があり、仮に不完全に挿入された場合も水漏れが発生していた。また、温度検知装置取付パッキング１９はゴム材であるため、このゴム材の経時劣化の可能性があり、水漏れの可能性があった。
【００１１】
さらにこの構成では、温度過昇防止装置の取り付けが困難であり、仮に温度検知装置１７が破損した場合、温度検知のバックアップが無いため、異常に外槽３ないの温度が上昇する可能性があるという問題を有していた。
【００１２】
本発明は上記従来の課題を解決するもので、外槽に温度検知装置挿入穴および温度検知装置取付パッキングを設けずに検知装置を取り付けれるようにし、作業性、サービス性の向上を図り、また水漏れの可能性を排し、さらに温度過昇防止装置の取り付けも可能にすることを目的としている。
【００１３】
【課題を解決するための手段】
本発明は上記目的を達成するために、略水平方向に回転軸を有する回転ドラムと、この回転ドラムを外包した外槽と、この外槽の底部内側に配した加熱体と、外槽の底部外側で加熱体の対応位置に配したスライド板とを備え、スライド板には温度検知装置および温度過昇防止装置の少なくとも一方を取付け、外槽の底部外側には、前記スライド板を着脱自在に摺動案内するレール状案内部を設けたものである。
【００１４】
これにより、外槽に温度検知装置挿入穴および温度検知装置取付パッキングを設けずに、スライド板のスライドだけで検知装置を取り付けれるようにできるため、作業性、サービス性の向上を図り、また水漏れの可能性を排することができる。さらに温度過昇防止装置の取り付けも可能にすることができるため温度の異常上昇の可能性も排することができる。
【００１５】
【発明の実施の形態】
本発明の請求項１に記載の発明は、略水平方向に回転軸を有する回転ドラムと、この回転ドラムを外包した外槽と、この外槽の底部内側に配した加熱体と、前記外槽の底部外側で前記加熱体の対応位置に配したスライド板とを備え、このスライド板には温度検知装置および温度過昇防止装置の少なくとも一方を取付け、前記外槽の底部外側には、前記スライド板を着脱自在に摺動案内するレール状案内部を設けたものであり、温度検知装置は温度検知装置挿入穴および温度検知装置取付パッキング等を介して設けたものではないため、スライド板のスライドだけで検知装置を取り付けることができる。また、作業性、サービス性の向上を図り、水漏れの可能性を排することができる。さらに温度過昇防止装置の取り付けも可能にすることができるため異常な温度の上昇の可能性も排することができる。
【００１６】
請求項２に記載の発明は、上記請求項１に記載の発明に加え、レール状案内部は、相対向する断面略コ字状をなし、その下部内面とスライド板のスライド部の少なくとも一方には、その奥行き方向に向かうに従って高さが高くなる凸部を形成し、他方は前記凸部に合致する高さに設定したものであるため、スライド板をスライドさせる際に、容易に小さな力でスライドさせることができ、作業性、サービス性をさらに向上させることができる。またセット後は所定の緊迫力でスライド板を固定することができるため、温度検知装置および温度過昇防止装置の信頼性も向上させることができる。
【００１７】
請求項３に記載の発明は、上記請求項２に記載の発明に加え、凸部は、高さが異なる複数の突起より構成されているため、それらの突起の高さを調整することによりスライド板の固定力を簡単に調整することができ、温度検知装置および温度過昇防止装置の信頼性をさらに向上させることができる。
【００１８】
請求項４に記載の発明は、上記請求項２に記載の発明に加え、凸部は、傾斜面より構成されているため、ほとんど力を要することなく、スライド板をスライドさせることができ、しかも最終セット位置でのみスライド板を固定させるため、作業性、サービス性をさらに向上させることができ、かつ温度検知装置および温度過昇防止装置の信頼性もさらに向上させることができる。
【００１９】
【実施例】
以下、本発明の一実施例について、図１から図３を参照しながら説明する。なお、従来例と同じ構成のものは同一符号を付して説明を省略する。
【００２０】
図１に示すように、外槽２４は、断面が回転軸４を中心とした略真円形状の外槽本体２４ａと外槽本体２４ａの開口部を覆う略円状の外槽前板２４ｂとで構成して回転ドラム１を外包し、回転ドラム１と外槽２４は、回転軸４と直行する方向の形状を回転軸４を中心として略同心円となるように構成し、底部側にヒータ２５を収容する略凹状の加熱体収容室２６を設けている。
【００２１】
この外槽２４は、ボデー１０よりばね体１１で揺動可能に吊り下げ、防振ダンパー１２により脱水起動時の振動が低減され、かつ定常脱水時の振動がボデー１０に伝達されないように防振支持するとともに、脱水時の振動を低減する重り１３を設けている。
【００２２】
外槽本体２４ａと外槽前板２４ｂとを、図２に示すように、当接する端面を外側に巻き込み、断面がく字状のバンド２７により端面外周を締め付けて外槽２４を形成している。略凹状の加熱体収容室２６は、外槽２４の底部に位置し、排水用のホース１５を接続し、この加熱収容室２６の底部にホース接続部２８に向かって傾斜面２９を形成している。
【００２３】
ヒータ２５の一端にヒータ取付板３０を固着し、このヒータ取付板３０にパッキング材３１を介して加熱体収容室２６に設けたヒータ挿入穴３２に挿通可能な締着板３３と一体に設けたねじ３４をナット３５により取り付け、ヒータ２５を加熱体収容室２６に挿入し、ナット３５を締め付けることで、パッキング材３１がヒータ取付板３０と締着板３３との間で圧縮され、外側に膨出することによりヒータ２５を加熱体収容室２６に固定するとともに、パッキング材３１によりヒータ挿入穴３２を閉塞する。ヒータ２５の他端は加熱体収容室２６に設けたばね材３６により挟持している。
【００２４】
傾斜面２９の外面には相対向する断面が略コ字状の第１レール状案内部３７と第２レール案内部３８を設け、この第１レール状案内部３７と第２レール案内部３８間には、着脱自在に摺動するスライド板３９を設けている。図３に傾斜面２９の外面の下方からの矢視図、図４（ａ）、（ｂ）にスライド板の摺動部の断面図を示す。
【００２５】
第１レール状案内部３７には第１挿入方向奥突起４０および第１挿入方向手前突起４１が、第２レール状案内部３８には第２挿入方向奥突起４２および第２挿入方向手前突起４３が設けられており、それぞれ第１挿入方向手前突起４１より第１挿入方向奥突起４０、第２挿入方向手前突起４３より第２挿入方向奥突起４２のほうが高さが高くなっている。スライド板３９には、温度過昇防止装置４４が第１凹部４５と第２凹部４６を介し、略Ｕ字状に固定され、また、温度検知装置４７が第３凹部４８に押え部４９にて固定され取り付けられている。
【００２６】
レール状案内部３７の第１挿入方向奥突起４０の対応位置には第１挿入方向奥スライド部５０が、第１挿入方向手前突起４１の対応位置には第１挿入方向手前スライド部５１が、第２レール状案内部３８の第２挿入方向奥突起４２の対応位置には第２挿入方向奥スライド部５２が、第２挿入方向手前突起４３の対応位置には第２挿入方向手前スライド部５３が設けられている。スライド板３９は矢印ａおよびｂのように第１レール状案内部３７と第２レール案内部３８間に挿入され、摺動途中は、図４（ａ）の矢印ｃのように、第１挿入方向手前突起４１が第１挿入方向奥スライド部５０に当たることなく通過し、図４（ｂ）の状態で停止した後、ねじ５４により固定される。他の構成は従来例と同じである。
【００２７】
上記構成において動作を説明すると、蓋２１を開いて回転ドラム１内に洗濯物を投入し、電源スイッチ（図示せず）をオンした後、制御装置２３に設けたスタートスイッチ（図示せず）を操作して運転を開始すると、給水弁２２が動作して給水し、水位検知手段（図示せず）により所定の水位を検知すると給水を停止し、第１のモータ６を駆動する。洗濯行程では、洗濯物に水が含まれるため補給水しながら、回転ドラム１は第１のモータ６によって第１の回転数Ｎ１で回転駆動され、回転ドラム１内の洗濯物は持ち上げられて水面上に落下される。
【００２８】
このとき、ヒータ２５に通電して、温度検知装置４７により温度を検知し、外槽２４内の洗濯水をほぼ一定の温度に制御しながら、加熱する。
【００２９】
仮に、制御装置２３に故障が発生し、外槽２４内の水が無いにもかかわらず、ヒータ２５に通電した場合、外槽２４内の温度は異常に上昇するが、この時、温度過昇防止装置４４によりヒータ２５への通電は分断され、火災まで至ることはない。
【００３０】
以上のように、本実施例によれば、スライド板３９をスライドさせる際に、容易に小さな力でスライドさせることができ、作業性、サービス性を向上させることができる。またセット後は所定の緊迫力でスライド板３９を固定することができるため、温度検知装置４７および温度過昇防止装置４４の信頼性も向上させることができる。
【００３１】
次に他の実施例について、図５（ａ）、（ｂ）を用いて説明する。
図５（ａ）、（ｂ）はスライド板５５の摺動部近傍の断面図であり、図５（ａ）は摺動途中、図５（ｂ）はセット時の状態を示している。レール状案内部５６は所定の傾斜角を有し、スライド板５５のスライド部である奥スライド部５７および手前スライド部５８はレール状案内部５６の傾斜角と略同等の傾斜角を有している。
【００３２】
このような構成にすることにより、矢印ｄのようにスライドさせる場合には、ほとんど力を要することなく、スライド板をスライドさせることができ、しかも最終セット位置でのみスライド板を固定させるため、作業性、サービス性をさらに向上させることができ、かつ温度検知装置および温度過昇防止装置の信頼性もさらに向上させることができる。
【００３３】
以上の実施例は、外槽２４の底面に加熱収容室２６を設け、その底部裏面に温度検知装置４７および温度過昇防止装置４４を取り付けたものであるが、加熱収容室２６を設けず、外槽２４の底部裏面に直接、温度検知装置４７および温度過昇防止装置４４を取り付けても、その効果は本実施例と同等であることは言うまでもない。
【００３４】
【発明の効果】
以上のように本発明の請求項１に記載の発明によれば、略水平方向に回転軸を有する回転ドラムと、この回転ドラムを外包した外槽と、この外槽の底部内側に配した加熱体と、前記外槽の底部外側で前記加熱体の対応位置に配したスライド板とを備え、このスライド板には温度検知装置および温度過昇防止装置の少なくとも一方を取付け、前記外槽の底部外側には、前記スライド板を着脱自在に摺動案内するレール状案内部を設けたものであるから、スライド板のスライドだけで検知装置を取り付けれるようにできるため、作業性、サービス性の向上を実現することができ、また水漏れの可能性を排することができる。さらに温度過昇防止装置の取り付けも可能にすることができるため火災の可能性も排することができる。
【００３５】
また、請求項２に記載の発明によれば、レール状案内部は、相対向する断面略コ字状をなし、その下部内面とスライド板のスライド部の少なくとも一方には、その奥行き方向に向かうに従って高さが高くなる凸部を形成し、他方は前記凸部に合致する高さに設定したものであるから、スライド板をスライドさせる際に、容易に小さな力でスライドさせることができ、作業性、サービス性をさらに向上させることができる。またセット後は所定の緊迫力でスライド板を固定することができるため、温度検知装置および温度過昇防止装置の信頼性も向上させることができる。
【００３６】
また、請求項３に記載の発明によれば、凸部は、高さが異なる複数の突起より構成されているから、それらの突起の高さを調整することによりスライド板の固定力を簡単に調整することができ、温度検知装置および温度過昇防止装置の信頼性をさらに向上させることができる。
【００３７】
さらに、請求項４に記載の発明によれば、凸部は、傾斜面より構成されているから、ほとんど力を要することなく、スライド板をスライドさせることができ、しかも最終セット位置でのみスライド板を固定させるため、作業性、サービス性をさらに向上させることができ、かつ温度検知装置および温度過昇防止装置の信頼性もさらに向上させることができる。
【図面の簡単な説明】
【図１】本発明の実施例のドラム式洗濯機の縦断面図
【図２】同ドラム式洗濯機の要部断面図
【図３】同ドラム式洗濯機の要部拡大矢視図
【図４】（ａ）同ドラム式洗濯機の要部拡大断面図
（ｂ）同ドラム式洗濯機の要部拡大断面図
【図５】（ａ）本発明の他の実施例のドラム式洗濯機の要部拡大断面図
（ｂ）本発明の他の実施例のドラム式洗濯機の要部拡大断面図
【図６】従来のドラム式洗濯機の縦断面図
【図７】同ドラム式洗濯機の要部断面図
【符号の説明】
１  回転ドラム
２４  外槽
２６  加熱体収容室
３７    第１レール状案内部
３８    第２レール状案内部
３９    スライド板
【図１】
0003603532.tif 000002
【図２】
0003603532.tif 000003
【図３】
0003603532.tif 000004
【図４】
0003603532.tif 000005
【図５】
0003603532.tif 000006
【図６】
0003603532.tif 000007
【図７】
0003603532.tif 000008